(57)【要約】【課題】媒体支持部のスライド時における被記録媒体の切断等を抑制可能であり、媒体支持部をスライド方向に小型化することが可能な記録装置を提供する。【解決手段】記録装置１は、被記録媒体(R3)に記録を行う記録部12、及び、被記録媒体(R3)が通る第一媒体経路30を有する筐体10と、第一媒体経路30に繋がり被記録媒体(R3)が通る第二媒体経路60を有し筐体10に対してスライド可能に設けられた媒体支持部(50)と、を備える。第一媒体経路30の開口30a、及び、第二媒体経路60の開口60aは、筐体10と媒体支持部(50)とのスライド面P1に形成されている。媒体支持部(50)のスライド方向D1のうち第一媒体経路30から第二媒体経路60の繋がりを外す側をスライド方向一方側(D2)として、第一媒体経路30のスライド方向一方側(D2)の壁部31と、第二媒体経路60のスライド方向他方側(D3)の壁部62とは、媒体支持部(50)のスライド時に干渉しない。【選択図】図１
2014188698.tif 000002
【特許請求の範囲】
【請求項１】
被記録媒体に記録を行う記録部、及び、前記被記録媒体が通る第一媒体経路を有する筐体と、
前記第一媒体経路に繋がり前記被記録媒体が通る第二媒体経路を有し、前記筐体に対してスライド可能に設けられた媒体支持部と、を備え、
前記第一媒体経路の開口、及び、前記第二媒体経路の開口が、前記筐体と前記媒体支持部とのスライド面に形成され、
前記媒体支持部のスライド方向のうち前記第一媒体経路から前記第二媒体経路の繋がりを外す側をスライド方向一方側として、前記第一媒体経路のスライド方向一方側の壁部と、前記第二媒体経路のスライド方向他方側の壁部とは、前記媒体支持部のスライド時に干渉しない、記録装置。
【請求項２】
前記第一媒体経路のスライド方向一方側の壁部と、前記第二媒体経路のスライド方向他方側の壁部とは、前記媒体支持部のスライド時に側面視で前記スライド方向に重ならない、請求項１に記載の記録装置。
【請求項３】
前記第一媒体経路のスライド方向一方側の壁部と、前記第二媒体経路のスライド方向一方側の壁部とは、前記媒体支持部のスライド時に干渉しないように側面視で前記スライド方向に重なる、請求項１又は請求項２に記載の記録装置。
【請求項４】
前記第一媒体経路のスライド方向一方側の壁部と、前記第二媒体経路のスライド方向一方側の壁部とは、前記媒体支持部のスライド時に干渉しないくし歯状に形成されている、請求項３に記載の記録装置。
【請求項５】
前記第一媒体経路と前記第二媒体経路とに前記被記録媒体を通す収容位置に前記媒体支持部があるとき、側面視で前記スライド方向に重なった部分において前記第二媒体経路のスライド方向一方側の壁部が前記第一媒体経路のスライド方向一方側の壁部よりもスライド方向他方側にある、請求項１〜請求項４のいずれか一項に記載の記録装置。
【請求項６】
前記第一媒体経路のスライド方向他方側の壁部と、前記第二媒体経路のスライド方向他方側の壁部とは、前記スライド方向に重なり、互いに接触しない、請求項１〜請求項５のいずれか一項に記載の記録装置。
【請求項７】
前記第一媒体経路において、前記第一媒体経路のスライド方向一方側の壁部と、前記第一媒体経路のスライド方向他方側の壁部とは、前記第一媒体経路の開口に向かって前記スライド方向に拡がっている、請求項１〜請求項６のいずれか一項に記載の記録装置。
【発明の詳細な説明】
【技術分野】
【０００１】
本発明は、記録装置に関する。
【背景技術】
【０００２】
大型のインクジェットプリンター等の記録装置には、ロール紙（被記録媒体）を装着する給紙ユニット（媒体支持部）が筐体に対して引出可能に設けられたものがある。このような記録装置には、被記録媒体が通る媒体経路が給紙ユニットと筐体とに設けられている。給紙ユニットを引き出す際には、媒体経路に通されている被記録媒体の切断や破れ等を抑制することが望ましい。
【０００３】
特許文献１に記載のインクジェット方式画像形成装置は、給紙ユニットから装置背面側にロール紙を繰り出し、装置本体の背面側から下方に出たガイド板でロール紙を装置本体に導入している。ガイド板の向きは、水平方向に対して４５°未満の傾き、すなわち、鉛直方向よりも水平方向に近い傾きとされている。給紙ユニットからロール紙が繰り出される位置は、装置本体と給紙ユニットとのスライド面よりも下側とされている。
【先行技術文献】
【特許文献】
【０００４】
【特許文献１】特開２００３−１２２０５号公報
【発明の概要】
【発明が解決しようとする課題】
【０００５】
上記画像形成装置は、装置背面側に用紙経路が突出しているので、その分、装置が大型化している。
なお、上述した問題は、インクジェット方式画像形成装置に限らず、種々の記録装置に同様に存在する。
【０００６】
以上を鑑み、本発明の目的の一つは、媒体支持部のスライド時における被記録媒体の切断等を抑制可能であり、媒体支持部をスライド方向に小型化することが可能な記録装置を提供することにある。
【課題を解決するための手段】
【０００７】
本発明の態様の一つとして、本発明の記録装置は、被記録媒体に記録を行う記録部、及び、前記被記録媒体が通る第一媒体経路を有する筐体と、
前記第一媒体経路に繋がり前記被記録媒体が通る第二媒体経路を有し、前記筐体に対してスライド可能に設けられた媒体支持部と、を備え、
前記第一媒体経路の開口、及び、前記第二媒体経路の開口が、前記筐体と前記媒体支持部とのスライド面に形成され、
前記媒体支持部のスライド方向のうち前記第一媒体経路から前記第二媒体経路の繋がりを外す側をスライド方向一方側として、前記第一媒体経路のスライド方向一方側の壁部（第一の一方側壁部とする。）と、前記第二媒体経路のスライド方向他方側の壁部（第二の他方側壁部とする。）とは、前記媒体支持部のスライド時に干渉しない、態様を有する。
【０００８】
すなわち、両媒体経路の開口が筐体と媒体支持部とのスライド面に形成されているので、媒体経路が装置背面側に突出しない。また、第一の一方側壁部と第二の他方側壁部とが媒体支持部のスライド時に干渉しないので、媒体支持部のスライド時に第一の一方側壁部と第二の他方側壁部とによる被記録媒体の切断等が抑制される。従って、上記態様は、媒体支持部のスライド時における被記録媒体の切断等を抑制可能であり、媒体支持部をスライド方向に小型化することが可能な記録装置を提供することができる。
【０００９】
ここで、上記記録装置には、インクジェットプリンター、ワイヤドットプリンター、レーザープリンター、ラインプリンター、複写機、ファクシミリ、等が含まれる。
第一の一方側壁部と第二の他方側壁部とは、媒体支持部のスライド時に干渉しなければよく、媒体支持部の非スライド時には干渉する配置でもよい。
【００１０】
ところで、第一の一方側壁部と第二の他方側壁部とは、前記媒体支持部のスライド時に側面視で前記スライド方向に重ならなくてもよい。この態様は、媒体支持部のスライド時における被記録媒体の切断等を抑制可能な好ましい記録装置を提供することができる。
ここで、第一の一方側壁部と第二の他方側壁部とが側面視でスライド方向に重ならないとは、媒体支持部のスライド方向、及び、被記録媒体の搬送方向と略直交する方向から見て第一の一方側壁部と第二の他方側壁部とが重ならないことを意味する。
【００１１】
前記第一媒体経路のスライド方向一方側の壁部（第一の一方側壁部）と、前記第二媒体経路のスライド方向一方側の壁部（第二の一方側壁部とする。）とは、前記媒体支持部のスライド時に干渉しないように側面視で前記スライド方向に重なってもよい。この態様は、被記録媒体の先端部を搬送する際に第一媒体経路と第二媒体経路のスライド方向一方側の境界部に被記録媒体の先端部が引っ掛かることを抑制することができる。
【００１２】
第一の一方側壁部と第二の一方側壁部とは、媒体支持部のスライド時に干渉しないくし歯状に形成されてもよい。この態様は、第一媒体経路と第二媒体経路のスライド方向一方側の境界部に被記録媒体の先端部が引っ掛かることを抑制する好適な例を提供することができる。
【００１３】
前記第一媒体経路と前記第二媒体経路とに前記被記録媒体を通す収容位置に前記媒体支持部があるとき、側面視で前記スライド方向に重なった部分において第二の一方側壁部が第一の一方側壁部よりもスライド方向他方側にあってもよい。この態様は、被記録媒体が第二媒体経路から第一媒体経路へ搬送されるときに第一媒体経路と第二媒体経路のスライド方向一方側の境界部に被記録媒体の先端部が引っ掛かることを抑制する好適な例を提供することができる。
【００１４】
前記第一媒体経路のスライド方向他方側の壁部（第一の他方側壁部とする。）と、前記第二媒体経路のスライド方向他方側の壁部（第二の他方側壁部）とは、前記スライド方向に重なり、互いに接触しなくてもよい。この態様は、媒体支持部のスライド時に第二の他方側壁部が第一の他方側壁部に突き当たらないので、媒体経路の壁部の破損を抑制することができる。
【００１５】
前記第一媒体経路において、第一の一方側壁部と第一の他方側壁部とは、前記第一媒体経路の開口に向かって前記スライド方向に拡がってもよい。この態様は、被記録媒体が第二媒体経路から第一媒体経路へ搬送されるときに種々の被記録媒体の先端部を円滑に搬送することができる。
【図面の簡単な説明】
【００１６】
【図１】記録装置１の要部を例示する側面図。
【図２】記録装置１の外観を例示する斜視図。
【図３】給紙ユニット５０を収容した状態の記録装置１を例示する縦断面図。
【図４】給紙ユニット５０を引き出した状態の記録装置１を例示する縦断面図。
【図５】媒体経路の一方側壁部３１，６１を例示する背面図。
【図６】記録装置１の作用を例示する側面図。
【図７】記録装置１の作用を例示する側面図。
【発明を実施するための形態】
【００１７】
以下、本発明の実施形態を説明する。むろん、以下の実施形態は本発明を例示するものに過ぎず、実施形態に示す特徴の全てが発明の解決手段に必須になるとは限らない。
【００１８】
図１は、本技術の例を説明するため記録装置１の要部を例示した側面図である。図２は、記録装置１の例として大型のインクジェットプリンターの外観を示す斜視図である。図３，４はスタッカー１９を省略して記録装置１を示す縦断面図であり、図３は給紙ユニット（媒体支持部）５０が所定の収容位置Ｌ１にある状態を示し、図４は給紙ユニット５０が所定の引出位置Ｌ２にある状態を示している。収容位置Ｌ１は、媒体経路（３０，６０）にシート（被記録媒体）Ｒ３を通す位置である。図５は、媒体経路（３０，６０）の一方側壁部３１，６１を例示する背面図である。
【００１９】
上述した図中、符号Ｄ１は、筐体１０に対する給紙ユニット５０のスライド方向を示している。符号Ｄ２は、収容位置Ｌ１から引出位置Ｌ２へ向かう引出方向、すなわち、スライド方向Ｄ１のうち筐体１０の第一媒体経路３０から給紙ユニット５０の第二媒体経路６０の繋がりを外すスライド方向一方側を示している。符号Ｄ３は、引出位置Ｌ２から収容位置Ｌ１に向かう収容方向、すなわち、スライド方向Ｄ１のうち外れている第二媒体経路６０を第一媒体経路３０に繋ぐスライド方向他方側を示している。符号Ｄ４は、スライド方向Ｄ１と交わるシート（被記録媒体）Ｒ３の搬送方向を示している。符号Ｄ７は、スライド方向Ｄ１及び搬送方向Ｄ４に直交する記録装置幅方向を示している。図１，３，４は、記録装置１を幅方向Ｄ７の外側から側面視した図である。符号Ｐ１は、筐体１０と給紙ユニット５０とのスライド面を示している。図に示すスライド面Ｐ１は、スライド方向Ｄ１と平行な面であり、筐体１０及び給紙ユニット５０の一部を含む面である。符号Ｐ２は、スライド方向Ｄ１に直交した投影面を示している。この投影面Ｐ２に一方側壁部３１，６１を投影したときの形状は、図５に示す形状になる。
【００２０】
なお、分かり易く示すため、各図は整合していないことがある。
また、本明細書で説明する位置関係は、発明を説明するための例示に過ぎず、発明を限定するものではない。従って、筐体の下以外の位置、例えば、上、左、右、といった位置に給紙ユニットが配置されることなども、本発明に含まれる。
【００２１】
上述した図に示す記録装置１は、筐体１０と、この筐体１０に対してスライド可能に設けられた給紙ユニット５０とを備え、装置上部奥の第一ロール紙Ｒ１と装置下部の第二ロール紙Ｒ２とを切り替えて印刷する（記録を行う）ことが可能である。ロール紙は、シートをロール状に巻いた連続紙である。両ロール紙Ｒ１，Ｒ２は、外側が印刷面とされている。むろん、繰り出し機構２１，５１の位置を変えると、内側が印刷面とされたロール紙も使用可能である。ロール紙には、紙、布、プラスチックシート、皮革、等、種々の材質の巻回シートを使用することができる。
図３等に示すように、筐体１０は、制御部１１、記録部１２、搬送ローラー対（１５，１６）、排出部１７、カッター１８、スタッカー１９、第一ロール紙用の媒体経路２０及び給紙機構（２１〜２５）、第二ロール紙用の第一媒体経路３０及びコロローラー（従動ローラー）３３，３４、等を備えている。
【００２２】
制御部１１は、ＣＰＵ（Central Processing Unit）、ＲＯＭ（Read Only Memory）、ＲＡＭ（Random Access Memory）等を有し、外部のホスト装置から記録出力の指令を受け取ってシート状の被記録媒体に印刷する等、記録装置１の各部の動作を制御する。印刷対象の被記録媒体は、ロール紙Ｒ１，Ｒ２の一方から引き出された部分であり、第二ロール紙Ｒ２の場合には連続したシートＲ３である。
記録部１２は、記録ヘッド１３とプラテン１４を有している。記録ヘッド１３は、プラテン１４と対向する上側に配置され、インクを被記録媒体に対して吐出して記録可能である。プラテン１４は、被記録媒体を支持し、被記録媒体と記録ヘッド１３との間を所定の距離にする。
【００２３】
搬送ローラー対（１５，１６）は、下側に配置された駆動ローラー１５と、上側に配置された従動ローラー１６とを備える。従動ローラー１６は、駆動ローラー１５から離間可能であり、近接時に駆動ローラー１５とで被記録媒体を挟持する。
排出部１７から送り出される被記録媒体は、カッター１８で切断されて搬送ローラー対（１５，１６）の挟持から解放されると、スタッカー１９にスタックされる。
【００２４】
第一ロール紙用の給紙機構は、第一ロール紙Ｒ１を支持する繰り出し機構２１、給紙ローラー対（２２，２３）、コロローラー（従動ローラー）２４，２５、等を備えている。給紙ローラー対（２２，２３）は、収容方向Ｄ３側に配置された駆動ローラー２２と、引出方向Ｄ２側に配置された従動ローラー２３とを備える。従動ローラー２３は、駆動ローラー２２から離間可能であり、近接時に駆動ローラー２２とで被記録媒体を挟持する。コロローラー２４は、媒体経路２０の引出方向Ｄ２側の壁にあり、この壁の内面から少し媒体経路２０内に出ている。コロローラー２５は、媒体経路２０の収容方向Ｄ３の壁にあり、この壁の内面から少し媒体経路２０内に出ている。
繰り出し機構２１に装着した新たな第一ロール紙Ｒ１の給紙時、ユーザーは、まず、給紙ローラー対（２２，２３）の間にロール紙Ｒ１の先端部を入れることになる。その後、繰り出し機構２１がロール紙Ｒ１を繰り出すとともに繰り出されたシートを給紙ローラー対（２２，２３）が挟持して搬送ローラー対（１５，１６）の方へ搬送し、搬送ローラー対（１５，１６）がシートを挟持する。印刷時には、搬送ローラー対（１５，１６）がシートをプラテン１４上に搬送し、記録ヘッド１３がインクを吐出してシートに記録を行う。
【００２５】
記録部１２に搬送されるシートＲ３を通すための第一媒体経路３０は、引出方向Ｄ２側の第一の一方側壁部３１と、収容方向Ｄ３側の第一の他方側壁部３２とを有している。第一の一方側壁部３１は、記録部１２に向かって曲がった第一媒体経路３０の内側部分となり、コロローラー（従動ローラー）３３が設けられている。図５に示すように、コロローラー３３は、搬送方向Ｄ４及び幅方向Ｄ７にそれぞれ複数配置され、一方側壁部３１の内面から少し第一媒体経路３０内に出ている。第一の他方側壁部３２は、第一媒体経路３０の外側部分となり、内面から少し第一媒体経路３０内に出たコロローラー（従動ローラー）３４が設けられている。
【００２６】
給紙ユニット（媒体支持部）５０は、第二ロール紙Ｒ２を支持する繰り出し機構５１、給紙ローラー対（５２，５３）、媒体検出センサー５４、第二媒体経路６０の引出方向Ｄ２側の壁にあるコロローラー（従動ローラー）６３、等を備えている。給紙ユニット５０は、収容位置Ｌ１と引出位置Ｌ２との間でスライド可能であり、制御部１１と電気的に接続されている。
給紙ローラー対（５２，５３）は、引出方向Ｄ２側に配置された駆動ローラー５２と、収容方向Ｄ３側に配置された従動ローラー５３とを備える。従動ローラー５３は、駆動ローラー５２から離間可能であり、近接時に駆動ローラー５２とでシートＲ３を挟持する。媒体検出センサー５４は、第二媒体経路６０において給紙ローラー対（５２，５３）の手前にシートＲ３が供給されているか否かを検出する。
【００２７】
第一媒体経路３０に搬送されるシートＲ３を通すための第二媒体経路６０は、引出方向Ｄ２側の第二の一方側壁部６１と、収容方向Ｄ３側の第二の他方側壁部６２とを有している。第二の一方側壁部６１は、繰り出し機構５１から曲がってきた第二媒体経路６０の内側部分となり、コロローラー６３が設けられている。図５に示すように、コロローラー６３は、搬送方向Ｄ４及び幅方向Ｄ７にそれぞれ複数配置され、一方側壁部６１の内面から少し第二媒体経路６０内に出ている。
繰り出し機構５１に装着した新たな第二ロール紙Ｒ２の給紙時、ユーザーは、まず、給紙ローラー対（５２，５３）の間にロール紙Ｒ２の先端部Ｒ４を入れることになる。その後、繰り出し機構５１がロール紙Ｒ２を繰り出すとともに繰り出されたシートＲ３を第二媒体経路６０内の給紙ローラー対（５２，５３）が挟持して第一媒体経路３０の方へ搬送する。このとき、ロール紙Ｒ２の巻き癖によっては、図７のシートＲ３１のように先端部Ｒ４が曲がって一方側壁部３１，６１に接触することもあれば、図７のシートＲ３２のように先端部Ｒ４が曲がって他方側壁部３２，６２に接触することもある。そして、第一媒体経路３０を通り過ぎて搬送ローラー対（１５，１６）の間に搬送されたシートＲ３を搬送ローラー対（１５，１６）が挟持する。その後、給紙ローラー対（５２，５３）はシートＲ３を挟持から解放してもよい。印刷時（記録時）には、媒体経路上流側のシートＲ３が繰り出し機構５１に保持され、媒体経路下流側のシートＲ３が搬送ローラー対（１５，１６）に保持される。この印刷時には、搬送ローラー対（１５，１６）がシートＲ３をプラテン１４上に搬送し、記録ヘッド１３がインクを吐出してシートＲ３に記録を行う。一連の動作は、制御部１１が制御する。
【００２８】
また、記録装置１は、給紙ユニット５０が収容位置Ｌ１にあるか否かを検出する位置検出センサー７１を備えている。収容位置Ｌ１に給紙ユニット５０があることが検出されないとき、又は、媒体検出センサー５４でシートＲ３が検出されないとき、制御部１１は、上述した一連の動作を行わない。
【００２９】
なお、ローラー対を構成する駆動ローラー及び従動ローラーは、上述した位置関係の逆の配置でもよい。また、従動ローラーの代わりに駆動ローラーを用いてローラー対を一対の駆動ローラーで構成してもよい。
【００３０】
ところで、特開2003-12205号公報に記載の画像形成装置のようにガイド板の向きが鉛直方向よりも水平方向に近い傾きであると、ガイドされるシートの先端部は自重により下側（外側）のガイド板に接触する。すなわち、シート先端部が上側（内側）のガイド板に接触しないので、媒体経路の接続部分にシート先端部の引っ掛かりを防ぐために上側（内側）のガイド板の重なりを設ける必要が無い。なお、ガイド板の向きを鉛直方向に近付けると、下側の給紙ユニットにある外側のガイド板の縁部の位置が上になる。このため、給紙ユニットを引き出すときに、下側の給紙ユニットにある外側のガイド板と、上側の装置本体にある内側のガイド板とが、干渉してしまう。
【００３１】
本記録装置１は、媒体経路の接続部分が鉛直に近い向き（水平方向よりも鉛直方向に近い向き）とされていながら、収容方向Ｄ３側となる他方側壁部６２の縁部６２ａの位置を下にしているため、給紙ユニットスライド時に第一の一方側壁部３１と第二の他方側壁部６２とが干渉しない。一方、シート先端部の引っ掛かりを抑制するため、引出方向Ｄ２側となる一方側壁部３１，６１の重なりを多くとる必要がある。
以上の背景を考慮して、両媒体経路３０，６０が形成されている。
【００３２】
図１等に示すように、収容位置Ｌ１にある給紙ユニット５０の第二媒体経路６０は、第一媒体経路３０に繋がる。以下、両媒体経路３０，６０の詳細を説明する。
第一媒体経路３０の引出方向Ｄ２側となる第一の一方側壁部３１は、第二媒体経路６０に繋がる開口３０ａの近傍において、開口３０ａ端に近付くほど引出方向Ｄ２側となる傾きを有する。図５等に示すように、第一媒体経路３０の開口３０ａのある縁部３１ａは、矩形状の凸部３１ｂ及び凹部３１ｃが交互に繰り返されたくし歯状に形成されている。
【００３３】
第一媒体経路３０の収容方向Ｄ３側となる第一の他方側壁部３２の開口３０ａのある縁部３２ａは、スライド面Ｐ１よりも下側にあり、一方側壁部３１の縁部３１ａよりも下側にある。第一媒体経路３０の開口３０ａの近傍において、一方側壁部３１と他方側壁部３２とは、第一媒体経路３０の開口３０ａに向かってスライド方向Ｄ１に拡がっている。
【００３４】
第二媒体経路６０の引出方向Ｄ２側となる第二の一方側壁部６１は、第一媒体経路３０に繋がる開口６０ａの近傍において、開口６０ａ端に近付くほど収容方向Ｄ３側となる傾きを有する。図５等に示すように、第二媒体経路６０の開口６０ａのある縁部６１ａは、矩形状の凸部６１ｂ及び凹部６１ｃが交互に繰り返されたくし歯状に形成されている。具体的には、引出方向Ｄ２及び収容方向Ｄ３から見て、第一の一方側壁部３１の凹部３１ｃに間隔を空けて第二の一方側壁部６１の凸部６１ｂが入り込み、第二の一方側壁部６１の凹部６１ｃに間隔を空けて第一の一方側壁部３１の凸部３１ｂが入り込んでいる。図１に示すように、第二の一方側壁部の凸部６１ｂはスライド面Ｐ１よりも上側であって第一の一方側壁部の凸部３１ｂよりも上側にあり、一方側壁部３１，６１はスライド方向Ｄ１に重なった部分４１を有する。従って、一方側壁部３１，６１は、側面視でスライド方向Ｄ１に重なるが、給紙ユニット５０のスライド時に互いに干渉しないくし歯状に形成されている。
【００３５】
なお、一方側壁部３１，６１が給紙ユニット５０のスライド時に干渉しないとは、スライド方向Ｄ１と直交する投影面Ｐ２に一方側壁部３１，６１を投影したときに一方側壁部３１，６１の投影部分が重ならないことを意味する。また、側面視は、幅方向Ｄ７のようにスライド方向Ｄ１及び搬送方向Ｄ４と略直交する方向から見ることを意味する。一方側壁部３１，６１が側面視でスライド方向Ｄ１に重なるとは、方向Ｄ１，Ｄ４と略直交する方向から見て一方側壁部３１，６１が重なることを意味する。
【００３６】
さらに、給紙ユニット５０が収容位置Ｌ１にあるとき、側面視でスライド方向Ｄ１に重なった部分４１において、第二の一方側壁部６１は第一の一方側壁部３１よりも段差状に収容方向Ｄ３側となる。
【００３７】
第二媒体経路６０の収容方向Ｄ３側となる第二の他方側壁部６２は、第一媒体経路３０に繋がる開口６０ａの近傍において、開口６０ａ端に近付くほど収容方向Ｄ３側となる傾きを有する。第二の他方側壁部６２の開口６０ａのある縁部６２ａは、第一の他方側壁部３２の縁部３２ａよりも上側にあり、スライド面Ｐ１よりも下側にあり、第一の一方側壁部の凸部３１ｂよりも下側にある。従って、第一の一方側壁部３１と第二の他方側壁部６２とは、給紙ユニット５０のスライド時に側面視でスライド方向Ｄ１に重ならず、干渉しない。むろん、一方側壁部３１，６１が側面視でスライド方向Ｄ１に重ならないとは、方向Ｄ１，Ｄ４と略直交する方向から見て一方側壁部３１，６１が重ならないことを意味する。
【００３８】
なお、媒体経路の開口３０ａ，６０ａは、共にスライド面Ｐ１に形成されている。例えば、側面視で一方側壁部の開口のある縁部と他方側壁部の開口のある縁部とを結ぶ線分がスライド面Ｐ１と交わる場合、媒体経路の開口がスライド面にあると言える。縁部に凹凸がある場合には、凹凸のいずれかと結ぶ線分がスライド面Ｐ１と交わればよい。
図１に示すように、第一媒体経路３０においては、一方側壁部３１の凹部３１ｃがスライド面Ｐ１よりも上側にあり、他方側壁部３２の縁部３２ａがスライド面Ｐ１よりも下側にあるので、開口３０ａがスライド面Ｐ１にある。第二媒体経路６０においては、一方側壁部６１の凸部６１ｂがスライド面Ｐ１よりも上側にあり、他方側壁部６２の縁部６２ａがスライド面Ｐ１よりも下側にあるので、開口６０ａがスライド面Ｐ１にある。
【００３９】
また、給紙ユニット５０が収容位置Ｌ１にあるとき、第二の他方側壁部６２の縁部６２ａは、第一の他方側壁部３２の縁部３２ａに対して引出方向Ｄ２側に離間した位置となる。従って、第一の他方側壁部３２と第二の他方側壁部６２とは、スライド方向Ｄ１に重なり、互いに接触しない。
【００４０】
次に、記録装置１の作用及び効果を説明する。
図１で示したように、両媒体経路の開口３０ａ，６０ａがスライド面Ｐ１に形成されているので、媒体経路（３０，６０）が装置背面側に突出せず、媒体経路によって装置が大型化しない。また、図６に示すように、第一の一方側壁部３１と第二の他方側壁部６２とが給紙ユニットスライド時に側面視でスライド方向Ｄ１に重ならず、干渉しないので、給紙ユニット５０を収容位置Ｌ１から引出方向Ｄ２へ引き出したときに壁部３１，６２によるシートＲ３の切断や破れ等が抑制される。従って、本技術は、給紙ユニット５０のスライド時におけるシートＲ３の切断等を抑制可能であり、給紙ユニット５０をスライド方向Ｄ１に小型化することが可能である。
【００４１】
また、図１で示したように、一方側壁部３１，６１が給紙ユニットスライド時に干渉しないように側面視でスライド方向Ｄ１に重なっているので、シートＲ３の先端部Ｒ４を記録部１２まで搬送する際に先端部Ｒ４が一方側壁部３１，６１の境界部（４１）に引っ掛かることが抑制される。例えば、図７に示すシートＲ３１のように先端部Ｒ４が引出方向Ｄ２側に曲がっていると一方側壁部３１，６１の境界部（４１）に接触することがあるが、この境界部に搬送方向Ｄ４への隙間が無いので、先端部Ｒ４の引っ掛かりが抑制される。特に、一方側壁部３１，６１が給紙ユニットスライド時に干渉しないくし歯状に形成されているので、先端部Ｒ４が引っ掛かり難い。
さらに、給紙ユニット５０が収容位置Ｌ１にあるとき、側面視でスライド方向Ｄ１に重なった部分４１において第二の一方側壁部６１が第一の一方側壁部３１よりも収容方向Ｄ３側にあるので、この点でも先端部Ｒ４が引っ掛かり難い。
【００４２】
さらに、図１で示したように、第一の他方側壁部３２と第二の他方側壁部６２とがスライド方向Ｄ１に重なり、互いに接触しないので、給紙ユニット５０のスライド時に第二の他方側壁部６２が第一の他方側壁部３２に突き当たらない。従って、本技術は、両媒体経路３０，６０の他方側壁部３２，６２の破損を抑制することができる。なお、図７に示すシートＲ３２のように先端部Ｒ４が収容方向Ｄ３側に曲がっていると、シートＲ３２の先端部Ｒ４を記録部１２まで搬送する際に先端部Ｒ４が他方側壁部３２，６２の境界部に接触することがある。この場合でも、第二の他方側壁部６２が第一の他方側壁部３２よりも引出方向Ｄ２側にあるので、先端部Ｒ４が引っ掛かり難い。
【００４３】
さらに、図１で示したように、開口３０ａの近傍において第一媒体経路３０の壁部３１，３２が開口３０ａに向かってスライド方向Ｄ１に拡がっているので、図７で示したシートＲ３１，Ｒ３２のように先端部Ｒ４が曲がっていても先端部Ｒ４が円滑に搬送される。
【００４４】
なお、本発明は、種々の変形例が考えられる。
例えば、本発明を適用可能な被記録媒体は、ロール紙以外にも、折り畳んだ連続紙、カット紙、等でもよい。
記録装置は、複数の被記録媒体を切り替えて記録を行う装置以外にも、一つの被記録媒体に記録を行う装置でもよい。
媒体支持部は、装置上部奥の第一ロール紙Ｒ１を支持する給紙ユニット等でもよい。また、媒体支持部は、給紙ユニット以外にも、記録前ではあるが給紙ユニットから搬送された被記録媒体を支持して筐体に渡す中継部位、記録部から搬送された記録後の被記録媒体を支持する排出部位、等でもよい。
一方側壁部３１，６１のくし歯形状は、半楕円状の凸部及び凹部が交互に繰り返された形状等でもよい。
【００４５】
第一の一方側壁部と第二の他方側壁部とは、媒体支持部のスライド時に干渉しなければよく、媒体支持部の非スライド時には干渉する配置でもよい。例えば、第二の他方側壁部６２が下方へ退避する機構を有している場合、媒体経路６０，３０に被記録媒体の先端部を通す際には、第一の一方側壁部３１と重なるように第二の他方側壁部６２を上方へ進出させてもよい。媒体支持部を引き出すときには、第一の一方側壁部３１と重ならないように第二の他方側壁部６２を下方へ退避させてもよい。第一の一方側壁部３１が上方へ退避する機構を有している場合、媒体経路６０，３０に被記録媒体の先端部を通す際には、第二の他方側壁部６２と重なるように第一の一方側壁部３１を下方へ進出させてもよい。媒体支持部を引き出すときには、第二の他方側壁部６２と重ならないように第一の一方側壁部３１を上方へ退避させてもよい。
また、第一の一方側壁部と第二の他方側壁部とは、媒体支持部のスライド時に干渉しない限り、側面視でスライド方向に重なっていてもよい。例えば、第一の一方側壁部と第二の他方側壁部とが媒体支持部のスライド時に互いに干渉しない凹凸形状に形成されても、被記録媒体の切断等の抑制効果が得られる。
【００４６】
以上説明したように、本発明によると、種々の態様により、媒体支持部のスライド時における被記録媒体の切断等を抑制可能であり、媒体支持部をスライド方向に小型化することが可能な技術等を提供することができる。むろん、従属請求項に係る構成要件を有しておらず独立請求項に係る構成要件のみからなる技術等でも、上述した基本的な作用、効果が得られる。
また、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も実施可能である。本発明は、これらの構成等も含まれる。
【符号の説明】
【００４７】
１…記録装置、１０…筐体、１２…記録部、３０…第一媒体経路、３０ａ…開口、３１…第一の一方側壁部、３１ａ…縁部、３１ｂ…凸部、３１ｃ…凹部、３２…第一の他方側壁部、３２ａ…縁部、４１…スライド方向に重なった部分、５０…給紙ユニット（媒体支持部）、６０…第二媒体経路、６０ａ…開口、６１…第二の一方側壁部、６１ａ…縁部、６１ｂ…凸部、６１ｃ…凹部、６２…第二の他方側壁部、６２ａ…縁部、Ｄ１…スライド方向、Ｄ２…引出方向（スライド方向一方側）、Ｄ３…収容方向（スライド方向他方側）、Ｄ４…搬送方向、Ｄ７…幅方向、Ｌ１…収容位置、Ｌ２…引出位置、Ｐ１…スライド面、Ｐ２…投影面、Ｒ１，Ｒ２…ロール紙、Ｒ３…シート、Ｒ４…先端部。
【図１】
2014188698.tif 000003
【図２】
2014188698.tif 000004
【図３】
2014188698.tif 000005
【図４】
2014188698.tif 000006
【図５】
2014188698.tif 000007
【図６】
2014188698.tif 000008
【図７】
2014188698.tif 000009